(57)【要約】【課題】汗を素早く吸収して着用者の肌から遠ざけるように拡散することができ、吸収した汗を素早く蒸発させ、汗疹などの肌トラブルを起こし難い吸収性物品を提供すること。【解決手段】吸収性物品における着用時に着用者の肌と接触し得る部位に吸汗性シート１０が配されている。吸汗性シート１０は、着用者の肌に最も近い第１層１０Ａと、該第１層１０Ａの非肌対向面に重ねて配される第２層１０Ｂとを有する。第１層１０Ａの平面視において、親水領域１１が複数散在し、その複数の親水領域１１それぞれの周囲に疎水領域１２が存しており、第２層１０Ｂが親水性不織布からなる。【選択図】図６
2018083064.tif 000002
【特許請求の範囲】
【請求項１】
着用時に着用者の肌と接触し得る部位に吸汗性シートが配された吸収性物品であって、
前記吸汗性シートは、着用者の肌に最も近い第１層と、該第１層の非肌対向面に重ねて配される第２層とを有し、
前記第１層の平面視において、親水領域が複数散在し、その複数の親水領域それぞれの周囲に疎水領域が存しており、
前記第２層が親水性不織布である吸収性物品。
【請求項２】
前記親水領域の接触角が８０度以下である請求項１に記載の吸収性物品。
【請求項３】
前記親水領域の接触角は、前記親水性不織布の接触角と同じかそれよりも小さい請求項１又は２に記載の吸収性物品。
【請求項４】
前記第１層の坪量が２０ｇ／ｍ2以下である請求項１〜３の何れか１項に記載の吸収性物品。
【請求項５】
前記第２層の坪量は、前記第１層の坪量と同じかそれよりも大きい請求項１〜４の何れか１項に記載の吸収性物品。
【請求項６】
前記第１層の厚みが０．７ｍｍ以下である請求項１〜５の何れか１項に記載の吸収性物品。
【請求項７】
前記第２層の厚みは、前記第１層の厚みと同じかそれよりも大きい請求項１〜６の何れか１項に記載の吸収性物品。
【請求項８】
前記第２層の繊維間距離は、前記第１層の繊維間距離と同じかそれよりも短い請求項１〜７の何れか１項に記載の吸収性物品。
【請求項９】
複数の前記親水領域それぞれの面積が１ｃｍ2以下であり、前記吸汗性シートにおける前記第１層の前記親水領域の面積率が２０％以下である請求項１〜８の何れか１項に記載の吸収性物品。
【請求項１０】
前記第１層と前記第２層とが接合部を介して互いに接合されており、該接合部は前記親水領域と部分的に重なり、該親水領域は該接合部と重ならない部分を有する請求項１〜９の何れか１項に記載の吸収性物品。
【請求項１１】
前記疎水領域を挟んで隣り合う２個の前記親水領域どうしの間隔が、着用者の前後方向に相当する縦方向においては５ｍｍ以上、該縦方向に直交する横方向においては１ｍｍ以上である請求項１〜１０の何れか１項に記載の吸収性物品。
【発明の詳細な説明】
【技術分野】
【０００１】
本発明は、吸汗作用を有する吸汗性シートを備えた吸収性物品に関する。
【背景技術】
【０００２】
従来、使い捨ておむつなどの吸収性物品において、汗疹などの肌トラブルを低減する目的で、着用時に着用者の肌と接触し得る部位に、親水性素材からなる吸汗性シートを配置することが行われている。
【０００３】
特許文献１〜３には、吸汗性シートとして、２層以上の繊維層が積層してなる積層構造を用いることが記載されている。特許文献１に記載の吸汗性シートは、着用者の肌に最も近い内側親水性シートと、該内側親水性シートの非肌対向面側に配される外側親水性シートとを有するもので、特許文献１によれば、該外側親水性シートが、該内側親水性シートに比して、液体の拡散性が高いため、該外側親水性シートに移行した汗を素早く拡散できるとされている。特許文献１には、これら親水性シートの具体的な構成として、外側親水性シートの構成繊維を吸収性物品の横方向（着用者の前後方向に対応する縦方向と直交する方向）に配向させること、内側親水性シートが外側親水性シートよりも圧縮変形し易いこと、外側親水性シートが内側親水性シートよりも密度が高いことなどが記載されている。
【０００４】
一方、特許文献２に記載の吸汗性シートは、着用者の肌に最も近い層が、親水性繊維と疎水性繊維との混合層からなる。特許文献２記載の吸汗性シートによれば、肌に接触する層に含まれている親水性繊維が、汗を吸って肌を乾燥させ、また、該層に含まれている疎水性繊維が、汗を吸って湿っている親水性繊維の肌への密着を阻害するので、肌に清涼感を与えることができるとされている。また特許文献２には、最外層に位置する２層の前記混合層の間に、親水性繊維を主体とする中間層を介在配置させた３層構造の吸汗性シートが記載されており、この３層構造の吸汗性シートによれば、最外層で吸った汗を、中間層の親水性繊維に向かって浸透、拡散させて肌から離間させることができるため、肌に与える清涼感が一層向上するとされている。
【０００５】
また、特許文献３に記載の吸汗性シートは、着用者の肌に最も近い内層と、該内層に隣接する外層とを有し、両層の何れも親水性繊維と疎水性繊維との混合層であるが、内層は疎水性繊維を主体とし、外層は親水性繊維を主体とする。また、外層の親水性繊維の一部が、内層の繊維間空隙を通って吸汗性シートの肌対向面に達しており、この外層から延びた親水性繊維の吸汗作用により、着用者の汗が内層から外層へ移行して、肌の表面が湿ることなく常に乾燥した状態になるとされている。
【先行技術文献】
【特許文献】
【０００６】
【特許文献１】特開２０１０−２４６９０１号公報
【特許文献２】特開２００７−３０１３４６号公報
【特許文献３】特開２００１−３２７５３４号公報
【発明の概要】
【発明が解決しようとする課題】
【０００７】
特許文献１〜３に記載の吸汗性シートに関する技術は、汗疹などの肌トラブルの発生をある程度は抑制し得るが、まだ改善の余地がある。汗を素早く吸収して着用者の肌から遠ざけることができ、吸収した汗を素早く蒸発させ、着用者の肌を常時乾燥した状態に保ち、汗疹などの肌トラブルを起こし難い吸収性物品は未だ提供されていない。
【０００８】
従って本発明の課題は、汗を素早く吸収して着用者の肌から遠ざけるように拡散させ、素早く蒸発させることができ、汗疹などの肌トラブルを起こし難い吸収性物品を提供することに関する。
【課題を解決するための手段】
【０００９】
本発明は、着用時に着用者の肌と接触し得る部位に吸汗性シートが配された吸収性物品であって、前記吸汗性シートは、着用者の肌に最も近い第１層と、該第１層の非肌対向面に重ねて配される第２層とを有し、前記第１層の平面視において、親水領域が複数散在し、その複数の親水領域それぞれの周囲に疎水領域が存しており、前記第２層が親水性不織布である吸収性物品である。
【発明の効果】
【００１０】
本発明によれば、汗を素早く吸収して着用者の肌から遠ざけるように拡散・蒸発させることができ、汗疹などの肌トラブルを起こし難い吸収性物品が提供される。
【図面の簡単な説明】
【００１１】
【図１】図１は、本発明の吸収性物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図２のＩ−Ｉ線断面を模式的に示す横断面図である。
【図４】図４は、図２のＩＩ−ＩＩ線断面を模式的に示す横断面図である。
【図５】図５は、図１に示すおむつを分解して模式的に示す分解斜視図である。
【図６】図６は、本発明に係る吸汗性シートの一例における第１層側表面即ち肌対向面を模式的に示す平面図である。
【図７】図７（ａ）〜図７（ｃ）は、それぞれ、本発明に係る吸汗性シートの一例における接合部のパターンのバリエーションであり、シート厚み方向に沿う断面を模式的に示す断面図である。
【図８】図８（ａ）〜図８（ｃ）は、それぞれ、本発明に係る吸汗性シートの他の一例における第１層側表面即ち肌対向面を模式的に示す平面図である。
【発明を実施するための形態】
【００１２】
以下本発明を、その好ましい実施形態に基づき図面を参照しながら説明する。図１〜図４には、本発明の吸収性物品の一実施形態であるパンツ型使い捨ておむつ１Ａが示されている。おむつ１Ａは、図１〜図５に示すように、着用者の前後方向に相当する縦方向Ｘとこれに直交する横方向Ｙとを有すると共に、股下部Ｂ並びに該股下部Ｂの前後から縦方向Ｘに延出する腹側部Ａ及び背側部Ｃを有し、液保持性の吸収体２３を股下部Ｂに具備する。股下部Ｂは、おむつ１Ａの着用状態において着用者の股間部に配される部位であり、腹側部Ａは、おむつ１Ａの着用状態において股下部Ｂよりも着用者の腹側即ち縦方向Ｘの前側に配される部位であり、背側部Ｃは、おむつ１Ａの着用状態において股下部Ｂよりも着用者の背側即ち縦方向Ｘの後側に配される部位である。
【００１３】
おむつ１Ａは、吸収体２３を含む吸収性本体２を横方向Ｙの中央部に備えると共に、該吸収性本体２の非肌対向面側即ち該吸収性本体２よりも着用者の身体から遠い側に配された外装体３を備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１４】
吸収性本体２は、図２に示す如きおむつ１Ａの展開且つ伸長状態において、平面視長方形形状をなし、腹側部Ａから背側部Ｃにわたって縦方向Ｘに延在しており、その長手方向を展開且つ伸長状態におけるおむつ１Ａの縦方向Ｘに一致させて、外装体３の横方向Ｙの中央部に配置され、接着剤により外装体３に接合されている。おむつ１Ａの「展開且つ伸長状態」とは、おむつ１Ａをサイドシール部Ｓで切り離して展開状態とし、その展開状態のおむつ１Ａを各部の弾性部材を伸長させて設計寸法（弾性部材の影響を一切排除した状態で平面状に広げたときの寸法と同じ）となるまで拡げた状態をいう。
【００１５】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。本実施形態においては、吸収体２３は、液保持性の吸収性コア２３１と、該吸収性コア２３１の外面（肌対向面及び非肌対向面の両面）を被覆するコアラップシート２３２とを含んで構成されている。吸収性コア２３１とコアラップシート２３２との間は、ホットメルト型接着剤等の公知の接合手段により接合されている。
【００１６】
本明細書において、「肌対向面」は、吸収性物品又はその構成部材（例えば表面シート）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味する。
【００１７】
表面シート２１、裏面シート２２並びに吸収体２３を構成する吸収性コア２３１及びコアラップシート２３２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２３１は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２３１は、親水性繊維の積繊体、あるいは該積繊体に吸水性ポリマー粒子を担持させたものであり得る。コアラップシート２３２としては、紙、不織布等の液透過性シートを用いることができる。
【００１８】
図２及び図３に示すように、吸収性本体２の肌対向面における縦方向Ｘに沿う左右両側部には、液抵抗性又は撥水性で且つ通気性の防漏カフ形成用シート２５から構成された一対の防漏カフ２４，２４が設けられている。各防漏カフ２４の自由端部の近傍には糸状の防漏カフ形成用弾性部材２６が１本以上縦方向Ｘに伸長状態で配されている。防漏カフ２４は、伸長状態で配された弾性部材２６がおむつ１Ａの着用時に収縮することによって少なくとも股下部Ｂで起立し、それによって尿等の排泄液の横方向Ｙの外方への流出を阻止する。
【００１９】
外装体３は、図２に示す如き展開且つ伸長状態のおむつ１Ａの外形を形作っており、外装体３の周縁は、その状態のおむつ１Ａの輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２０】
外装体３は、図３〜図５に示すように、着用状態においておむつ１Ａの外面即ち非肌対向面を形成する外層シート３１と、外層シート３１の肌対向面に対向配置された内層シート３２との積層体を含んで構成されている。おむつ１Ａの着用状態において、外層シート３１は着用者の身体から遠い側に位置して、おむつ１Ａの非肌対向面（外面）を形成し、内層シート３２は着用者の身体に近い側に位置して、おむつ１Ａの肌対向面（内面）を形成する。外層シート３１と内層シート３２とは、所定の部位において接着剤等の接合手段を介して互いに接合されている。外層シート３１は、図４及び図５に示すように、腹側部Ａ及び背側部Ｃに、内層シート３２の縦方向Ｘの端縁から延出し、内層シート３２の肌対向面側に折り返される折り返し部３１Ｅを有し、該折り返し部３１Ｅは、図２及び図４に示すように、吸収性本体２の縦方向Ｘの端部を被覆している。
【００２１】
本実施形態においては、図５に示すように、内層シート３２は１枚の連続したシートから構成されているのに対し、外層シート３１は複数枚のシートが組み合わされて構成されており、具体的には、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２２】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮シートを用い、外層シート３１の残りの部分即ち股下外層シート３１Ｂ及び内層シート３２は、伸縮性を有していない非伸縮シートを用いることができる。外装体３として使用可能な伸縮シートとしては、例えば、弾性繊維層の両面又は片面に伸長可能な繊維層が一体化されている伸縮シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮シートとしては、例えば、各種製法による不織布が挙げられ、具体的にはスパンボンド不織布、エアスルー不織布、ニードルパンチ不織布を例示できる。
【００２３】
図１、図２、図４及び図５に示すように、腹側部Ａ及び背側部Ｃそれぞれには、糸状又は帯状の胴周り弾性部材３３が横方向Ｙに伸長状態で複数本配され、それら複数本の胴周り弾性部材３３は縦方向Ｘに所定間隔を置いて間欠配置されている。このように、胴周り弾性部材３３がその弾性伸縮性が発現される状態で配されていることにより、ウエスト開口部ＷＨの開口縁部には、その全周にわたって実質的に連続した環状のウエストギャザーが形成される。また、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３４が伸長状態で配されており、これによって一対のレッグ開口部ＬＨ，ＬＨそれぞれの開口縁部には、その全周にわたって実質的に連続した環状のレッグギャザーが形成される。これらの弾性部材３３，３４は、何れも外装体３を構成する外層シート３１と内層シート３２との間に接着剤等の接合手段により挟持固定されている。
【００２４】
おむつ１Ａにおける着用時に着用者の肌と接触し得る部位には、吸汗性シート１０が配されている。本実施形態においては、図２及び図４に示すように、吸汗性シート１０は、外層シート３１の折り返し部３１Ｅの肌対向面に重ねて配されている。より具体的には、吸汗性シート１０は、平面視において一方向に長い形状、具体的には長方形形状をなし、その長手方向を横方向Ｙに一致させて、腹側部Ａ及び背側部Ｃそれぞれのウエスト部Ｄ及び胴周り部Ｅにおいて、着用者の肌から最も近い位置即ちおむつ１Ａの内面側（肌対向面側）の最表面を形成するように、おむつ１Ａの横方向Ｙの全長にわたって配されている。
【００２５】
尚、ウエスト部Ｄは、着用者の腰回りに位置する部位であり、通常、おむつ１Ａの腹側部Ａ側又は背側部Ｃ側の縦方向Ｘの端部からおむつ１Ａの縦方向Ｘの全長の１〜１５％の長さまでの領域である。また、胴周り部Ｅは、腹側部Ａ及び背側部Ｃそれぞれのウエスト部Ｄと股下部Ｂとの間に位置する領域である。
【００２６】
吸汗性シート１０は、図４に示すように、着用者の肌に最も近い第１層１０Ａと、該第１層１０Ａの非肌対向面に重ねて配される第２層１０Ｂとを有する。第１層１０Ａと第２層１０Ｂとは、接着剤や融着などの公知の接合手段によって接合されている。第１層１０Ａと第２層１０Ｂとは、平面視における形状及び寸法が互いに同一であり、一方の一面の全域が他方の一面によって被覆されている。
【００２７】
図６には、吸汗性シート１０の第１層１０Ａ側の表面即ち吸汗性シート１０の肌対向面、図７には、吸汗性シート１０の厚み方向に沿う断面のバリエーションが示されている。おむつ１Ａにおいては、第１層１０Ａは部分的に親水性を有する不織布からなり、図６に示す如き第１層１０Ａの平面視において、親水領域１１が複数散在し、その複数の親水領域１１それぞれの周囲に疎水領域１２が存している。疎水領域１２は、第１層１０Ａの平面視において連続しており、複数の親水領域１１をそれぞれ包囲している。複数の親水領域１１は、それぞれ図７に示すように、吸汗性シート１０の厚み方向の全長にわたって存在している。
【００２８】
尚、前記の「複数の親水領域１１それぞれの周囲に疎水領域１２が存している」には、複数の親水領域１１の全部の周囲に疎水領域１２が存している形態と、複数の親水領域１１のうちの一部の周囲に疎水領域１２が存している形態（該一部を除く他の親水領域１１の周囲に疎水領域１２が存していない形態）とが包含される。本発明の所定の効果をより確実に奏させるようにする観点から、吸汗性シート１０の肌対向面（第１層１０Ａの表面）に存している親水領域１１の全数に占める、周囲に疎水領域１２が存している親水領域１１の数の割合は、８０％以上が好ましく、１００％即ち複数の親水領域１１の全部の周囲に疎水領域１２が存していることがさらに好ましい。
【００２９】
また、前記の「親水領域１１の（それぞれ）の周囲」は、吸汗性シート１０（第１層１０Ａ）が存在する範囲（疎水領域１２が存在し得る範囲）での親水領域１１の周囲を意味する。例えば図２を参照して、親水領域１１が第１層１０Ａの縦方向Ｘの中央部を横方向Ｙの一端から他端にわたって延在している場合、「該親水領域１１の周囲」には、該親水領域１１の横方向Ｙの両外方、即ち第１層１０Ａの横方向Ｙの両外方は含まれない。
【００３０】
図６に示す第１層１０Ａにおいては、平面視において一方向に長い形状、具体的には長方形形状の複数の親水領域１１が、その長手方向を横方向Ｙに一致させて、縦方向Ｘ及び横方向Ｙの両方向において間欠配置されている。また、複数の親水領域１１が縦方向Ｘに間欠配置されてなる、親水領域縦方向列に着目して、任意の親水領域縦方向列と、該任意の親水領域縦方向列と横方向Ｙにおいて隣り合う他の親水領域縦方向列とで、それらを構成する親水領域１１の縦方向Ｘの位置が一致している。尚、図６では第１層１０Ａの肌対向面のみを示しているが、該肌対向面とは反対側に位置する非肌対向面即ち第２層１０Ｂとの対向面においても、該肌対向面の親水領域１１に対応する位置に親水領域１１が存在し、該肌対向面と同様に親水領域１１と疎水領域１２とが混在している。
【００３１】
部分親水不織布である第１層１０Ａは、疎水性繊維からなる不織布（疎水性不織布）に親水化剤が部分的に付着したもの、即ちシート状の不織布に親水化剤を部分的に付着させて得られるものであり、親水領域１１は、親水化剤の付着部分である。この点、例えば特許文献２及び３に記載の吸汗性シートは、親水性繊維と疎水性繊維とを混合してなる混合層を備え、該混合層中に分布している多数の親水性繊維１本ずつの吸汗作用によって汗を吸収するようになされているのとは対照的である。第１層１０Ａにおいて吸汗作用を有する親水領域１１は、不織布に親水化剤を付着させてなるものであるから、通常、繊維１本あるいは数本の集合体よりも大きな面積を有する。
【００３２】
第１層１０Ａは、疎水性繊維からなる不織布（ベース不織布）に親水化剤を付着させることで製造することができる。親水化剤のベース不織布への付着方法は特に限定されず、ベース不織布に部分的に親水化剤を付着させ得る方法であれば良く、例えば、親水化剤を含む塗布液の塗布又は噴霧が挙げられる。第１層１０Ａのベース不織布としては、表面シートなどの吸収性物品の構成部材として使用可能なものを特に制限なく用いることができ、例えば、カード法により製造された不織布、スパンボンド不織布、メルトブローン不織布、スパンレース不織布、ニードルパンチ不織布などが挙げられる。特に、肌触り等の観点から、スパンボンド不織布及びエアスルー不織布が好ましい。
【００３３】
第１層１０Ａのベース不織布の構成繊維である疎水性繊維は、界面活性剤などの親水化剤を含んでおらず、少なくとも親水部を形成するための親水化剤の付着前の時点では、親水化剤による処理、プラズマ処理などの親水化処理が施されていないもの、即ち本来的に疎水性の繊維である。疎水性繊維としては、各種の熱可塑性樹脂からなる繊維（熱融着繊維）を用いることができる。熱可塑性樹脂としては、ポリエチレン、ポリプロピレン等のポリオレフィン；ポリエチレンテレフタレート等のポリエステル；ナイロン６、ナイロン６６等のポリアミド；ポリアクリル酸、ポリメタクリル酸アルキルエステル、ポリ塩化ビニル、ポリ塩化ビニリデン等が挙げられ、これらの１種を単独で又は２種以上を組み合わせて用いることができる。疎水性繊維は、短繊維でも長繊維でも良い。疎水性繊維としては、芯鞘型又はサイド・バイ・サイド型等の複合繊維、分割繊維、異形断面繊維、熱収縮繊維等を用いることもできる。前記ベース不織布における疎水性繊維の含有率は、少なくとも５０質量％以上であり、通常は基本的には１００質量％である。
【００３４】
吸汗性シート１０において、第１層１０Ａが部分親水不織布であるのに対し、第２層１０Ｂは親水性不織布からなる。即ち、第２層１０Ｂは疎水領域を有しておらず、その全体が親水領域である。
【００３５】
第２層１０Ｂを構成する親水性不織布としては、親水性繊維を構成繊維とすることを前提として、各種製法による不織布を特に制限なく用いることができ、例えば、第１層１０Ａのベース不織布と同様の不織布を用いることができる。また、親水性繊維としては、第１層１０Ａのベース不織布の構成繊維として使用可能な疎水性繊維に親水化処理を施したもの、具体的には例えば、親水化剤が練り込まれた疎水性繊維、表面に親水化剤が付着した疎水性繊維などを用いることができる。また、本来的に親水性を有する繊維、例えばセルロース繊維などの天然系や半天然系の繊維を用いることもできる。第２層１０Ｂを構成する親水性不織布としては、第１層１０Ａのベース不織布の全体に対し、親水化剤による処理、プラズマ処理などの親水化処理を施したものを用いることもできる。
【００３６】
本発明において、シートあるいはその一部の領域が親水性であるか疎水性であるかは、下記方法で測定される繊維の接触角に基づき判断される。具体的には、繊維の接触角が９０度未満であれば親水性、９０度以上であれば疎水性である。下記方法で測定される繊維の接触角が小さいほど親水性が高く（疎水性が低く）、該接触角が大きいほど親水性が低い（疎水性が高い）。例えば吸汗性シート１０において、第１層１０Ａの親水領域１１は、下記方法で測定される繊維の接触角が９０度未満の領域であり、疎水領域１２は、該接触角が９０度以上の領域である。また、第２層１０Ｂはその全体が、下記方法で測定される繊維の接触角が９０度未満である。
【００３７】
＜接触角の測定方法＞
測定対象のシート（不織布）の厚み方向に沿う断面が上面となるようにセットし、シートの厚み方向へシートの最表面から厚みの１／１０までの区間の繊維をランダムに複数サンプリングし、水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を１５ピコリットルに設定して、水滴を、それぞれの繊維の中央の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃごとに画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。繊維は、繊維長１ｍｍ程度に裁断し、該繊維を接触角計のサンプル台に載せて、水平に維持する。Ｎ＝５本の接触角を小数点以下１桁まで計測し、合計１０箇所の測定値を平均した値（小数点以下第１桁で四捨五入）を接触角と定義する。接触角の低いものほど親水性が高いことを意味する。測定環境は、室温２２±２℃、湿度６５±２％ＲＨとする。
【００３８】
尚、吸収性物品からその構成部材（例えば吸汗性シート）を取り出して評価測定する場合において、その構成部材が、接着剤、融着などによって他の構成部材に固定されている場合には、固定されていない部分において測定するか、その固定部分を除去してから取り出す。その際、構成部材に付与された親水化剤への影響を最小限に抑える観点から、固定部分の除去方法として、溶剤の塗布やドライヤーによる熱風吹き付けのような、油剤の変質、喪失を招くおそれのある方法は採用しないことが好ましい。
【００３９】
吸汗性シートが吸収すべき「汗」は、その９９質量％以上が水であるから、吸収性物品において吸汗性シートが実用上十分な吸汗性を発現するためには、少なくとも汗を分泌する着用者の肌と当接し得る、吸汗性シートの肌対向面側は、親水性を有することが必要である。しかし、吸汗性シートの肌対向面全体が親水性であると、該肌対向面と肌との間の広範囲にわたって汗を含む液の層が形成されやすくなり、肌に対するドライ感が低下し、汗疹などの肌トラブルが起こりやすくなる。
【００４０】
この点、吸汗性シート１０においては、おむつ１Ａの着用者の肌と当接し得る第１層１０Ａは、一部に疎水領域１２を有する部分親水不織布であるから、肌に対するドライ感が向上しており、肌トラブルを起こし難い。一方、吸汗性シートがこのような部分親水性であると、吸汗機能の低下が懸念されるかもしれないが、吸汗性シート１０においては、液吸収性及び液拡散性に優れる親水性不織布からなる第２層１０Ｂが、第１層１０Ａの非肌対向面に重ねて配されているため、斯かる懸念は払拭されている。即ち、吸汗性シート１０においては、着用者の肌に近い第１層１０Ａは、図６に示す如き肌対向面側の平面視において疎水領域１２中に複数の親水領域１１が個々独立に存在しているような、部分親水不織布であるから、第１層１０Ａでは面方向に汗が拡散することはなく、第２層１０Ｂの親水性不織布にすみやかに汗が移行し、面方向に広く拡散する。このように、部分親水不織布であり面方向に拡散性の低い第１層１０Ａと液拡散性が高い第２層１０Ｂとが積層されることで、厚み方向に「液拡散性の勾配」が付与されており、これにより、着用者の肌に付着したかきはじめの小さな汗滴を第１層１０Ａの親水領域１１にて素早く吸収し、該肌とは反対側の第２層１０Ｂの全域にて拡散させることが可能となる。特に、第１層１０Ａにおいて汗の吸収機能を有する親水領域１１は、液拡散性に乏しい疎水領域１２によって包囲された比較的小面積の部位であって、いわば汗を吸う「ストロー」のようなものであるから、親水領域１１で吸収された汗は第１層１０Ａの面方向には拡散し難く、第１層１０Ａを厚み方向に速やかに移行して、全体が親水性の第２層１０Ｂに到達し、そこで面方向に拡散されて吸収保持される。つまり、第１層１０Ａは、主として、汗を第２層１０Ｂへ移行する役割を担い、第２層１０Ｂは、主として、第１層１０Ａによって移行された汗を吸収保持する役割を担い、この両者がその役割を果たすことによってはじめて、着用者の肌上に存する汗を素早く吸収して該肌から遠ざけるように拡散させることが可能となる。また、汗を第２層１０Ｂでのみ面方向に広く拡散させることにより、汗の表面積を大きく空気に触れるようにすることで素早く汗を蒸発させることができる。その結果、汗疹などの肌トラブルの発生が効果的に防止されるのである。
【００４１】
第１層１０Ａの親水領域１１による汗の移行をより速やかに行うようにする観点から、親水領域１１の前記方法で測定される接触角は、好ましくは８０度以下、さらに好ましくは７０度以下である。
【００４２】
同様の観点から、相対的に着用者の肌に近い第１層１０Ａの親水領域１１の親水性は、相対的に着用者の肌から遠い第２層１０Ｂ（親水性不織布）の親水性と同じか、又は第２層１０Ｂの親水性よりも高いことが好ましい。即ち、前記方法で測定される接触角を親水性の指標として用いた場合、第１層１０Ａの親水領域１１の該接触角は、親水性不織布たる第２層１０Ｂの該接触角と同じかそれよりも小さいことが好ましい。
親水領域１１の接触角と第２層１０Ｂの接触角との差は、後者−前者として、好ましくは５度以上、さらに好ましくは１０度以上、そして、好ましくは３０度以下、さらに好ましくは４０度以下である。
第２層１０Ｂの接触角は、好ましくは８５度以下、さらに好ましくは８３度以下である。
【００４３】
第１層１０Ａの親水領域１１は、前述した通り、疎水性不織布に親水化剤を付着させて得ることができる。この場合、使用する親水化剤の種類、濃度、粘度、印圧、温度、塗布する場合の塗布スピードなどを適宜調整することで、親水領域１１の親水性、即ち前記方法で測定される接触角を調整することが可能である。具体的には例えば、親水領域１１に存する親水化剤の親水性が、第２層１０Ｂに存する親水化剤のそれと比べて同等以上であれば、前記の通り、親水領域１１の接触角を、第２層１０Ｂの接触角と同じかそれよりも小さくすることができる。
【００４４】
第１層１０Ａにおける親水化剤の付着量は、第１層１０Ａの全質量に対して固形分換算で、好ましくは０．０１質量％以上、さらに好ましくは０．１質量％以上、そして、好ましくは５質量％以下、さらに好ましくは１質量％以下である。
【００４５】
第１層１０Ａから第２層１０Ｂへの汗の移行をより速やかに行うようにする観点からは、第２層１０Ｂの繊維間距離は、第１層１０Ａの繊維間距離と同じかそれよりも短いことが好ましい。一般に、構成繊維の繊維化距離が短いほど毛管力が強いところ、吸汗性シート１０においては、着用者の肌から相対的に遠い側に位置する第２層１０Ｂの繊維間距離を第１層１０Ａのそれよりも短くして相対的に毛管力を強力にすることで、汗の厚み方向における移行速度をより一層高めることが可能となる。
第１層１０Ａの繊維間距離と第２層１０Ｂの繊維間距離との差は、前者−後者として、好ましくは５μｍ以上、さらに好ましくは１５μｍ以上、そして、好ましくは３５μｍ以下、さらに好ましくは３０μｍ以下である。両者の繊維間距離の差が大きすぎると、第１層１０Ａでの毛管力の低下及び第２層１０Ｂでの吸汗容量の減少により吸汗性能が低下するおそれがある。繊維間距離は、下記式（１）により求めることができる。
【００４６】
【数１】
2018083064.tif 000003
【００４７】
同様の観点から、第１層１０Ａの坪量は少ないことが好ましく、また、第１層１０Ａの厚みは小さいことが好ましい。
第１層１０Ａの坪量は、好ましくは２０ｇ／ｍ2以下、さらに好ましくは１７ｇ／ｍ2以下である。また、第１層１０Ａの坪量の下限については、実用上十分な強度を確保する観点から、好ましくは９ｇ／ｍ2以上、さらに好ましくは１０ｇ／ｍ2以上である。
第１層１０Ａの厚みは、好ましくは０．１９ｍｍ以上、さらに好ましくは０．２０ｍｍ以上、そして、好ましくは０．７ｍｍ以下、さらに好ましくは０．５ｍｍ以下である。
【００４８】
また、吸汗性シート１０による汗の吸収容量を向上させ、大量の汗にも対応可能とする観点から、第２層１０Ｂの坪量は、第１層１０Ａの坪量と同じかそれよりも大きいことが好ましい。
また、同様の観点から、第２層１０Ｂの厚みは、第１層１０Ａの厚みと同じかそれよりも大きいことが好ましい。
厚みの測定方法は、測定対象の不織布に０．０５ｋＰａの荷重を加えた状態で、厚み測定器を用いて測定した。厚み測定器にはオムロン社製のレーザー変位計を用いた。厚み測定は、１０点測定し、それらの平均値を算出して厚みとした。
【００４９】
第１層１０Ａの坪量と第２層１０Ｂの坪量との差は、後者−前者として、好ましくは１ｇ／ｍ2以上、さらに好ましくは２ｇ／ｍ2以上、そして、好ましくは１１ｇ／ｍ2以下、さらに好ましくは１０ｇ／ｍ2以下である。
第２層１０Ｂの坪量は、好ましくは１０ｇ／ｍ2以上、さらに好ましくは１３ｇ／ｍ2以上、そして、好ましくは２３ｇ／ｍ2以下、さらに好ましくは２２ｇ／ｍ2以下である。
【００５０】
第１層１０Ａの厚みと第２層１０Ｂの厚みとの差は、後者−前者として、好ましくは０．０５ｍｍ以上、さらに好ましくは０．１ｍｍ以上、そして、好ましくは０．５ｍｍ以下、さらに好ましくは０．４ｍｍ以下である。
第２層１０Ｂの厚みは、好ましくは０．１ｍｍ以上、さらに好ましくは０．１５ｍｍ以上、そして、好ましくは０．４ｍｍ以下、さらに好ましくは０．５ｍｍ以下である。
【００５１】
前述したように、汗疹などの肌トラブルを抑制するためには、汗を素早く吸収して着用者の肌から遠ざけて拡散し、素早く蒸発させ、着用者の肌を常時乾燥した状態に保つことが必要である。斯かる観点から、第１層１０Ａにおける複数の親水領域１１それぞれの面積は、好ましくは１ｃｍ2以下、さらに好ましくは０．９ｃｍ2以下である。また、親水領域１１の面積の下限については、その役割を果たし得る上で最小限の大きさを確保する観点から、好ましくは０．０１ｃｍ2以上、さらに好ましくは０．０２ｃｍ2以上である。親水領域の面積は下記方法により測定される。
【００５２】
＜親水領域の面積の測定方法＞
蒸留水に青色１号や赤色２号などの色素を、該色素の濃度が０．０１重量％となるように混和溶解し、着色水を調製する。測定対象の吸汗シートを吸収性物品より切り出し、着色水内に浸漬しすぐに取り出す。吸汗シートの第１層（吸収性物品に配されていたときの肌対向面側）上での着色水の拡散領域の輪郭を透明ＯＨＰシートなどに写し取り、その転写した輪郭に基づいて画像解析装置を用いて着色水の拡散面積を算出し、その算出値を当該親水領域の面積とする。
【００５３】
また、複数の親水領域１１それぞれの面積を前記範囲として、個々の親水領域１１における液の厚み方向における移行速度を高めても、そのような親水領域１１が第１層１０Ａの所定箇所に高い比率で存在していると、肌に汗が触れる面積の比率が高くなり肌トラブルを十分に抑制できないおそれがある。斯かる観点から、第１層１０Ａにおける親水領域１１の面積率は、２０％以下であることが好ましく、さらに好ましくは１５％以下である。また、親水領域１１の面積率の下限については、その役割を果たし得る上で最小限の大きさを確保する観点から、好ましくは５％以上、さらに好ましくは８％以上である。ここでいう「親水領域の面積率」は、単位領域の面積に対する、該単位領域に存する親水領域１１の総面積の割合であり、ここでいう「単位領域」とは、縦方向１０ｍｍ、横方向１０ｍｍの平面視四角形形状の領域である。
【００５４】
また、複数の親水領域１１それぞれの面積を前記範囲として、個々の親水領域１１における液の厚み方向における移行速度を高めても、そのような親水領域１１が第１層１０Ａの所定箇所に複数高密度で存在していると、その親水領域１１の高密度存在領域自体が実質的に１つの親水領域となって、面方向への液拡散性が高まる結果、厚み方向における液移行速度が却って低下するおそれがある。
従って、親水領域１１の間隔は、一定程度は置く必要があるが、該間隔が広すぎると、第１層１０Ａに存する親水領域１１の数が低減し、吸汗性の低下を招くおそれがある。
斯かる観点から、疎水領域１２を挟んで隣り合う２個の親水領域１１，１１どうしの間隔は、おむつ１Ａの着用者の前後方向に相当する縦方向Ｘにおいては、間隔Ｌｘ（図６参照）として、好ましくは５ｍｍ以上、さらに好ましくは６ｍｍ以上、そして、好ましくは２０ｍｍ以下、さらに好ましくは１５ｍｍ以下である。
また、横方向Ｙにおいては、間隔Ｌｙ（図６参照）として、好ましくは１ｍｍ以上、さらに好ましくは２ｍｍ以上、そして、好ましくは１０ｍｍ以下、さらに好ましくは９ｍｍ以下である。
【００５５】
前述したように、おむつ１Ａの着用者の肌と吸汗性シート１０の肌対向面即ち第１層１０Ａとの間に汗を含む液の層が形成されると、汗疹などの肌トラブルの原因となる。本発明者らは、この液の層の形成性の指標として、下記方法により測定される吸汗性シートの表面液残り量に着目して種々検討したところ、第１層１０Ａにおける親水領域１１の親水性が高いほど、吸汗性シートの表面液残り量が低減し、第１層１０Ａと着用者の肌との間に汗を含む液の層が肌から離れやすい傾向があることを知見した。第１層１０Ａの親水領域１１の親水性（接触角）は、前述した通り、親水領域１１に存する親水化剤の種類や濃度を適宜調整することで調整可能であり、親水領域１１の親水性を高める方法としては、例えば、親水化剤として高親水性のものを用いる方法が挙げられる。
【００５６】
＜表面液残り量の測定方法＞
疎水性不織布に親水化剤を部分的に付着させて作製した第１層と、親水性不織布からなる第２層とを積層し、両層を接着剤により一体化させて、縦５０ｍｍ、横５０ｍｍの平面視四角形形状の吸汗性シートの測定サンプルを作製した。疎水性不織布として、坪量１３ｇ／ｍ2以上のスバンボンド不織布を用い、親水性不織布として、坪量１５ｇ／ｍ2以上のスバンボンド不織布を用いた。第１層における親水化剤のパターンは図６に示すものと同様とした。
全長６０ｍｍ×幅６０ｍｍのアクリル板上の中央に、試験液（純水）５０ｍｇを滴下する。次いで、測定サンプルを第１層が下方を向くように、アクリル板上に滴下した試験液上に静かに載せる。１分経過後に、試験液を吸収した測定サンプルを取り除き、その際のアクリル板上に残った試験液を、既知の重量（Ｗ０）のろ紙で吸水し、その吸水後のろ紙の重量（Ｗ１）を測定する。そして、重量Ｗ１から重量Ｗ０を差し引く（Ｗ１−Ｗ０）ことで、当該サンプルの表面液残り量（ｍｇ）を算出する。
【００５７】
前記＜表面液残り量の測定方法＞では、アクリル板上に滴下された試験液（純水）は、アクリル板と測定サンプルである第１層１０Ａ即ち部分親水不織布に付着し界面に広がり、親水領域１１に到達し、親水領域１１の繊維内に吸水されて表面張力により親水領域１１内部とアクリル板との界面において液の層を形成する。その後、第２層に液が移行し第２層の面方向に拡散することで前記界面の液がアクリル板から離れるが、その液の一部が移行しきれずにアクリル板上に残る。本発明者らの知見によれば、第１層１０Ａにおける親水領域１１の形成材料として使用される親水化剤の親水性が高いほど、第１層１０Ａの接触角が小さくなり、前記界面の液が第２層に移行しやすく、アクリル板側に残りにくくなる。
前記知見に基づき、本発明において親水領域１１の形成材料として好ましく用いられる親水化剤としては、ラウリルヒドロキシスルホベタイン（花王株式会社製、商品名「アンヒトール２０ＨＤ」）を例示できる。
【００５８】
前述した通り、吸汗性シート１０を構成する第１層１０Ａと第２層１０Ｂとは、接着剤や融着などの公知の接合手段によって接合されており、両層１０Ａ，１０Ｂの間には図７に示すように、その接合部１３が配されている。接合部１３は通常疎水性であるところ、接合部１３の配置パターンによっては吸汗性シート１０の吸汗性などに影響が出るおそれがある。斯かる観点から、接合部１３は、第１層１０Ａの親水領域１１と部分的に重なり、親水領域１１は、接合部１３と重ならない部分を有することが好ましい。図７（ａ）〜図７（ｃ）に示す接合部１３のバリエーションは、この好ましい形態の例示である。図７（ａ）〜図７（ｃ）に示す形態であれば、液を移行する役割を果たす第１層１０Ａの親水領域１１と、親水領域１１から移行された液を吸収保持する第２層１０Ｂとが、接合部１３を介して密着し、且つ接合部１３によってその液の移行が阻害されることがないため、前述した本発明の作用効果がより確実に奏されるようになる。
【００５９】
図７（ａ）に示す形態においては、接合部１３は、第１層１０Ａにおける複数の親水領域１１それぞれに対応して、平面視において親水領域１１と重なる部分のみに配されているが、図７（ａ）に示す如き吸汗性シート１０の厚み方向に沿う断面視において、接合部１３の幅は対応する親水領域１１の幅よりも小さく、それ故、接合部１３は親水領域１１と部分的に重なり、親水領域１１は接合部１３と重ならない部分を有している。
図７（ｂ）に示す形態においては、接合部１３は、第１層１０Ａにおける親水領域１１と疎水領域１２との境界及びその近傍に跨って配されている。
図７（ｃ）に示す形態においては、接合部１３は、第１層１０Ａにおける複数の疎水領域１２それぞれに対応して配され、且つ図７（ｃ）に示す如き吸汗性シート１０の厚み方向に沿う断面視において、接合部１３の幅は対応する疎水領域１２の幅よりも大きく、それ故、接合部１３は疎水領域１２の非肌対向面（第２層１０Ｂとの対向面）の全域と重なり、さらにその疎水領域１２の周囲に位置する親水領域１１の一部とも重なっているが、該親水領域１１の全域とは重なっていない。
【００６０】
本発明に係る吸汗性シートにおいて、第１層における親水領域のパターンは、図６に示す形態に限定されず、本発明の趣旨を逸脱しない範囲で任意に選択し得る。図８（ａ）〜図８（ｃ）には、第１層における親水領域のパターンの具体例が示されている。尚、図８に示す各形態においては、吸汗性シート１０の第１層１０Ａ（図６参照）と異なる構成部分を主として説明し、同様の構成部分は同一の符号を付して説明を省略する。特に説明しない構成部分は、吸汗性シート１０についての説明が適宜適用される。
【００６１】
図８（ａ）に示す第１層１０Ａにおいては、複数の親水領域１１は千鳥状に配置されている。即ち図８（ａ）に示す第１層１０Ａにおいては、複数の親水領域１１が縦方向Ｘに間欠配置されてなる親水領域縦方向列が、横方向Ｙに所定間隔を置いて複数配されており、且つ該親水領域縦方向列を横方向Ｙに投影したときに、該親水領域縦方向列を構成する親水領域１１の投影像の間に、該親水領域縦方向列と横方向Ｙにおいて隣接する他の親水領域１１の投影像が配置される。
【００６２】
図６に示す親水領域１１のパターンと図８（ａ）に示す親水領域１１のパターンとは、平面視においてドット状の親水領域１１が散点状に配されている点で共通している。
図６に示す親水領域１１のパターンは、特に、親水領域１１，１１どうしの横方向Ｙにおける間隔Ｌｙを比較的狭くする（前記特定範囲に設定する）ことで、着用者の肌からじわじわ出てくる汗を効率良く吸収し得る。
一方、図８（ａ）に示す親水領域１１の千鳥状パターンは、特に、着用者の皮膚の汗腺から分泌された汗が皮膚上で集まってある程度の大きさの液滴になった段階で、この汗の液滴を効率良く吸収し得る。
【００６３】
図８（ｂ）及び図８（ｃ）に示す第１層１０Ａにおいては、それぞれ、一方向（具体的には横方向Ｙ）に延びる平面視線状の親水領域１１が該一方向と直交する方向（具体的には縦方向Ｘ）に複数間欠配置されている。親水領域１１の平面視形状は、図８（ｂ）ではらせん状（連続曲線状）、図８（ｃ）では直線状であり、図８（ｂ）はいわゆるスパイラルパターン、図８（ｃ）はいわゆるストライプパターンである。図８（ｂ）及び図８（ｃ）に示す形態によれば、第１層１０Ａにおける着用者の肌との当接部分に、該当接部分の横方向Ｙの全長にわたって延びる線状の親水領域１１が複数配置されているため、汗を効率良く吸収し得る。尚、図８（ｂ）及び図８（ｃ）に示す如き平面視線状の親水領域１１が、第１層１０Ａの横方向Ｙの一端から他端にわたって延在している場合、該親水領域１１の横方向Ｙの両端よりも横方向Ｙの外方に位置する部分は、第１層１０Ａ（吸汗性シート１０）の非存在領域であり、「該親水領域１１の周囲」ではないことは前述した通りである。
【００６４】
本発明においては、第１層における親水領域の平面視形状は、図示の形態に限定されず適宜選択し得る。親水領域１１の平面視形状を例示すると、円形、楕円形、三角形、四角形、六角形などのドット状；直線、曲線、破線などの線状が挙げられる。また、第１層の一面に存する複数の親水領域は、互いに平面視形状が同じでも良く、異なっていても良い。
【００６５】
本発明に係る吸汗性シートに用いる親水化剤としては、例えば下記が挙げられる。
・ポリオキシエチレンアルキルエーテル、ポリオキシプロピレンアルキルエーテル、ポリオキシエチレンアルキルフェニルエーテル、ポリオキシプロピレンアルキルフェニルエーテル等のエーテル型非イオン系界面活性剤。
・アルキルグリコシド等の多価アルコールエーテル型非イオン系界面活性剤。
・ポリエチレングリコールエステル、ポリオキシエチレン脂肪酸エステル、ポリオキシプロピレン脂肪酸エステル等のエステル型非イオン系界面活性剤。
・ショ糖脂肪酸エステル、ソルビタン脂肪酸エステル、ポリオキシエチレン脂肪酸エステル、ポリオキシプロピレン脂肪酸エステル等の多価アルコールエステル型非イオン系界面活性剤。
・脂肪酸アルカノールアミド、炭素数８〜１８のアシル基を有する脂肪族アミドのアルキレンオキサイド付加物等のアミド系非イオン系界面活性剤。
・アルキルエトキシレート、ポリエチレングリコールジラウレート、ポリエチレングリコールジステアレート、アルキルエトキシレート化アミン。
・ジメチルシロキサン・メチル（ポリオキシエチレン）シロキサン共重合体、ジメチルシロキサン・メチル（ポリオキシプロピレン）シロキサン共重合体、ジメチルシロキサン・メチル（ポリオキシエチレン／ポリオキシプロピレン）シロキサン共重合体、メチル（ポリオキシエチレン）ポリシロキサン共重合体、メチル（ポリオキシプロピレン）ポリシロキサン共重合体、メチル（ポリオキシエチレン／ポリオキシプロピレン）ポリシロキサン共重合体、メチル（ポリオキシエチレン／ポリオキシブチレン）ポリシロキサン共重合体等のポリオキシアルキレン変性シリコーン。
【００６６】
本発明に係る吸汗性シートに用いる親水化剤は、水不溶性のものが好ましい。水不溶性の親水化剤を用いることで、吸収性物品の着用中に吸汗性シートが汗や尿などの体液と接触した場合に、親水化剤が滲んだり流れたりする不都合が発生し難くなる。水不溶性の親水化剤は、下記方法で測定される２５℃の水に対する溶解度が１質量％以下であるものを意味する。水不溶性の親水化剤は、例えば、親水化剤の重量平均分子量を３０００以上とする、親水化剤が有するアルキル鎖の鎖長を長くする、などの方法で得ることができる。水不溶性の親水化剤としては、例えば、ポリオキシエチレンラウリルエーテル、ラウリルヒドロキシスルホベタインが挙げられる。
【００６７】
＜親水化剤の溶解度の測定方法＞
２５℃の純水１００ｇに対して、親水化剤を投入し、スターラー又は振とう機で撹拌して溶解させ、１時間撹拌しても溶解できない直前の投入量を、当該親水化剤の、２５℃の水に対する溶解度とする。
【００６８】
本発明の吸収性物品において、吸汗性シートは、着用時に着用者の肌と接触し得る部位に配される。おむつ１Ａにおいては、吸収性本体２や外装体３（外層シート３１、内層シート３２）のような吸収性物品の基本構成部材とは別体のシート材（バリアシート）を吸汗性シート１０とし、この吸汗性シート１０を所定部位、具体的には外層シート３１の折り返し部３１Ｅに固定することで、着用者の腰回り対応するウエスト部Ｄの全域に配置していたが、吸汗性シートの配置形態はこれに限定されない。例えば、本発明の吸収性物品においては、該吸収性物品としての体をなす上で必要な基本構成部材が吸汗性シートであっても良い。例えばおむつ１Ａにおいて、ウエスト部Ｄ及び／又は胴回り部Ｅに配された外装体３が吸汗性シートであっても良く、より具体的には例えば、外層シート３１の折り返し部３１Ｅ、あるいは内層シート３２が吸汗性シートであっても良い。
【００６９】
また、本発明の吸収性物品が、おむつ１Ａの如きパンツ型使い捨ておむつではなく、いわゆる展開型使い捨ておむつである場合には、吸収体の横方向外方において着用者の肌に最も近い位置に配されている構成部材（例えば、サイドシート、防漏カフ形成用シート）の肌対向面に、これとは別体の吸汗性シートを固定しても良く、あるいは、該構成部材自体が本発明に係る吸汗性シートであっても良い。
【００７０】
以上、本発明をその実施形態に基づいて説明したが、本発明は、前記実施形態に制限されることなく適宜変更が可能である。例えば、パンツ型使い捨ておむつ１Ａにおける外装体３は、図２に示すように、腹側部Ａと背側部Ｃとで分割されずに、腹側部Ａ、股下部Ｂ及び背側部Ｃにわたる砂時計状等の連続した形状を有していたが、本発明に係る外装体は、このような連続した形状に制限されず、例えば、着用者の腹側（前側）に配される腹側シート部材と、着用者の背側（後側）に配される背側シート部材とに分割されており、吸収性本体がこれら両シート部材に架け渡して固定されていても良い。前述した一の実施形態における説明省略部分及び一の実施形態のみが有する要件は、それぞれ他の実施形態に適宜適用することができ、また、各実施形態における要件は、適宜、実施形態間で相互に置換可能である。前述した本発明の実施形態に関し、更に以下の付記を開示する。
【００７１】
＜１＞
着用時に着用者の肌と接触し得る部位に吸汗性シートが配された吸収性物品であって、
前記吸汗性シートは、着用者の肌に最も近い第１層と、該第１層の非肌対向面に重ねて配される第２層とを有し、
前記第１層の平面視において、親水領域が複数散在し、その複数の親水領域それぞれの周囲に疎水領域が存しており、
前記第２層が親水性不織布である吸収性物品。
【００７２】
＜２＞
前記親水領域の接触角が８０度以下である前記＜１＞に記載の吸収性物品。
＜３＞
前記親水領域の接触角が７０度以下である前記＜１＞又は＜２＞に記載の吸収性物品。
＜４＞
前記親水領域の接触角は、前記親水性不織布の接触角と同じかそれよりも小さい前記＜１＞〜＜３＞の何れか１項に記載の吸収性物品。
＜５＞
前記親水領域の接触角と前記親水性不織布（前記第２層）の接触角との差が、後者−前者として、好ましくは５度以上、さらに好ましくは１０度以上、そして、好ましくは３０度以下、さらに好ましくは４０度以下である前記＜４＞に記載の吸収性物品。
＜６＞
前記親水性不織布（前記第２層）の接触角が、好ましくは８５度以下、さらに好ましくは８３度以下である前記＜１＞〜＜５＞の何れか１項に記載の吸収性物品。
【００７３】
＜７＞
前記第１層の坪量が２０ｇ／ｍ2以下である前記＜１＞〜＜６＞の何れか１項に記載の吸収性物品。
＜８＞
前記第１層の坪量が１７ｇ／ｍ2以下であり、また、好ましくは９ｇ／ｍ2以上、さらに好ましくは１０ｇ／ｍ2以上である前記＜１＞〜＜７＞の何れか１項に記載の吸収性物品。
＜９＞
前記第２層の坪量は、前記第１層の坪量と同じかそれよりも大きい前記＜１＞〜＜８＞の何れか１項に記載の吸収性物品。
＜１０＞
前記第１層の坪量と前記第２層の坪量との差が、後者−前者として、好ましくは１ｇ／ｍ2以上、さらに好ましくは２ｇ／ｍ2以上、そして、好ましくは１１ｇ／ｍ2以下、さらに好ましくは１０ｇ／ｍ2以下である前記＜９＞に記載の吸収性物品。
＜１１＞
前記第２層の坪量が、好ましくは１０ｇ／ｍ2以上、さらに好ましくは１３ｇ／ｍ2以上、そして、好ましくは２３ｇ／ｍ2以下、さらに好ましくは２２ｇ／ｍ2以下である前記＜１＞〜＜１０＞の何れか１項に記載の吸収性物品。
【００７４】
＜１２＞
前記第１層の厚みが０．７ｍｍ以下である前記＜１＞〜＜１１＞の何れか１項に記載の吸収性物品。
＜１３＞
前記第１層の厚みが０．５ｍｍ以下であり、また、好ましくは０．１９ｍｍ以上、さらに好ましくは０．２０ｍｍ以上である前記＜１＞〜＜１２＞の何れか１項に記載の吸収性物品。
＜１４＞
前記第２層の厚みは、前記第１層の厚みと同じかそれよりも大きい前記＜１＞〜＜１３＞の何れか１項に記載の吸収性物品。
＜１５＞
前記第１層の厚みと前記第２層の厚みとの差が、後者−前者として、好ましくは０．０５ｍｍ以上、さらに好ましくは０．１ｍｍ以上、そして、好ましくは０．５ｍｍ以下、さらに好ましくは０．４ｍｍ以下である前記＜１４＞に記載の吸収性物品。
【００７５】
＜１６＞
前記第２層の繊維間距離は、前記第１層の繊維間距離と同じかそれよりも短い前記＜１＞〜＜１５＞の何れか１項に記載の吸収性物品。
＜１７＞
前記第１層の繊維間距離と前記第２層の繊維間距離との差は、前者−後者として、好ましくは５μｍ以上、さらに好ましくは１５μｍ以上、そして、好ましくは３５μｍ以下、さらに好ましくは３０μｍ以下である前記＜１６＞に記載の吸収性物品。
【００７６】
＜１８＞
複数の前記親水領域それぞれの面積が１ｃｍ2以下であり、前記吸汗性シートにおける前記第１層の前記親水領域の面積率が２０％以下である前記＜１＞〜＜１７＞の何れか１項に記載の吸収性物品。
＜１９＞
前記第１層における複数の前記親水領域それぞれの面積が０．９ｃｍ2以下であり、また、好ましくは０．０１ｃｍ2以上、さらに好ましくは０．０２ｃｍ2以上である前記＜１＞〜＜１８＞の何れか１項に記載の吸収性物品。
＜２０＞
前記第１層における前記親水領域の面積率が１５％以下であり、また、好ましくは５％以上、さらに好ましくは８％以上である前記＜１＞〜＜１９＞の何れか１項に記載の吸収性物品。
【００７７】
＜２１＞
前記第１層と前記第２層とが接合部を介して互いに接合されており、該接合部は前記親水領域と部分的に重なり、該親水領域は該接合部と重ならない部分を有する前記＜１＞〜＜２０＞の何れか１項に記載の吸収性物品。
＜２２＞
前記疎水領域を挟んで隣り合う２個の前記親水領域どうしの間隔が、着用者の前後方向に相当する縦方向においては５ｍｍ以上、該縦方向に直交する横方向においては１ｍｍ以上である前記＜１＞〜＜２１＞の何れか１項に記載の吸収性物品。
＜２３＞
前記疎水領域を挟んで隣り合う２個の前記親水領域どうしの間隔が、着用者の前後方向に相当する縦方向においては６ｍｍ以上であり、また、好ましくは２０ｍｍ以下、さらに好ましくは１５ｍｍ以下である前記＜１＞〜＜２２＞の何れか１項に記載の吸収性物品。
＜２４＞
前記疎水領域を挟んで隣り合う２個の前記親水領域どうしの間隔が、着用者の前後方向に直交する横方向においては２ｍｍ以上であり、また、好ましくは１０ｍｍ以下、さらに好ましくは９ｍｍ以下である前記＜１＞〜＜２３＞の何れか１項に記載の吸収性物品。
【００７８】
＜２５＞
前記第１層における前記親水領域は、疎水性不織布に親水化剤を付着させて形成されたものであり、即ち、疎水性不織布における親水化剤付着部である前記＜１＞〜＜２４＞の何れか１項に記載の吸収性物品。
＜２６＞
前記疎水性不織布における疎水性繊維の含有率が、好ましくは５０質量％以上、さらに好ましくは１００質量％である前記＜２５＞に記載の吸収性物品。
＜２７＞
前記第１層における前記親水化剤の付着量は、該第１層の全質量に対して固形分換算で、好ましくは０．０１質量％以上、さらに好ましくは０．１質量％以上、そして、好ましくは５質量％以下、さらに好ましくは１質量％以下である前記＜２５＞又は＜２６＞に記載の吸収性物品。
＜２８＞
前記第１層における前記親水領域又は前記第２層を構成する前記親水性不織布に、水不溶性の親水化剤が付着している前記＜１＞〜＜２７＞の何れか１項に記載の吸収性物品。
＜２９＞
前記水不溶性の親水化剤が、ポリオキシエチレンラウリルエーテル又はラウリルヒドロキシスルホベタインである前記＜２８＞に記載の吸収性物品。
【００７９】
＜３０＞
前記吸収性物品は、着用者の前後方向に相当する縦方向とこれに直交する横方向とを有すると共に、着用者の股間部に配される股下部並びにその前後に延在する腹側部及び背側部を有し、吸収体を含む吸収性本体と、該吸収性本体の非肌対向面側に配された外装体とを備え、該外装体は、着用状態において該吸収性物品の外面を形成する外層シートと、該外層シートの肌対向面に対向配置された内層シートとの積層体を含んで構成され、
前記外層シートは、前記腹側部及び前記背側部に、前記内層シートの縦方向端から延出し、該内層シートの肌対向面側に折り返される折り返し部を有し、該折り返し部が前記吸収性本体の縦方向端部を被覆している前記＜１＞〜＜２９＞の何れか１項に記載の吸収性物品。
＜３１＞
前記外層シートは、前記腹側部を構成する腹側外層シートと、前記背側部を構成する背側外層シートと、両シート間に位置して前記股下部を構成する股下外層シートとを含んで構成され、これらの外層シート構成シートは、それぞれの縦方向端部どうしが重ね合わされ、その重ね合わせ部分において互いに接合され一体化されており、
前記腹側外層シート及び前記背側外層シートそれぞれと前記股下外層シートとの重ね合わせ部分においては、それぞれ、該股下外層シートが前記吸収性本体から相対的に近い側に位置し、該股下外層シートの縦方向両端部の非肌対向面は該腹側外層シート及び該背側外層シートで被覆されている前記＜３０＞に記載の吸収性物品。
＜３２＞
前記腹側外層シート及び前記背側外層シートが、それぞれ、横方向に伸縮性を有する伸縮シートであり、前記股下外層シート及び前記内層シートが、それぞれ、伸縮性を有していない非伸縮シートである前記＜３１＞に記載の吸収性物品。
＜３３＞
前記吸汗性シートは、前記外層シートの前記折り返し部の肌対向面に重ねて配されている前記＜３０＞〜＜３２＞の何れか１項に記載の吸収性物品。
＜３４＞
前記吸汗性シートは、平面視において一方向に長い形状、具体的には長方形形状をなし、その長手方向を横方向に一致させて、前記腹側部及び前記背側部において前記吸収性物品の内面側の最表面を形成するように、該吸収性物品の横方向の全長にわたって配されている前記＜３０＞〜＜３３＞の何れか１項に記載の吸収性物品。
【符号の説明】
【００８０】
１Ａ  パンツ型使い捨ておむつ（吸収性物品）
２  吸収性本体
２１  表面シート（表面材）
２２  裏面シート
２３  吸収体
２４  防漏カフ
３  外装体
３１  外層シート
３１Ｅ  外層シートの折り返し部
３２  内層シート
１０  吸汗性シート
１０Ａ  第１層
１０Ｂ  第２層
１１  親水領域
１２  疎水領域
１３  接合部
Ａ  腹側部
Ｂ  股下部
Ｃ  背側部
Ｄ  ウエスト部
Ｅ  胴周り部
Ｘ  縦方向
Ｙ  横方向
【図１】
2018083064.tif 000004
【図２】
2018083064.tif 000005
【図３】
2018083064.tif 000006
【図４】
2018083064.tif 000007
【図５】
2018083064.tif 000008
【図６】
2018083064.tif 000009
【図７】
2018083064.tif 000010
【図８】
2018083064.tif 000011